(57)【要約】【課題】  ノブの操作時のガタツキを最小限に抑えることが出来、然も、ノブの設置位置に関する設計上の制約を緩和することが可能なスイッチ装置を提供する。【解決手段】  本発明に係るリモートコントローラは、筐体１の開口14から露出するノブ２の背面側に、スイッチ12を配備して構成される。該スイッチ12は、ノブ２を筐体１の内部に向けて押し込む第１軸方向のプッシュ操作とノブ２を筐体１の表面に沿ってスライドさせる第２軸方向のスライド操作とに感応する感応部12aを有し、該感応部12aはノブ２へ向けて常時付勢されている。ノブ２の第１軸及び第２軸に直交する第３軸方向の一方の端部には、該第３軸方向に沿って外側へ突出する係合突部22が設けられ、該係合突部22は、カバー部材３の背面と筐体１のリブ部15によって、一定の遊びをもって第１軸方向に挟持されている。前記スイッチ12は、係合突部22とは反対側のノブ２の他方の端部に対向して設置されている。【選択図】      図５
2006344405.tif 000002
【特許請求の範囲】
【請求項１】
開口を有する筐体の内部に、前記開口から表面を露出させてノブを配備すると共に、該ノブの背面側にスイッチを配備して構成され、該スイッチは、前記ノブを筐体の内部に向けて押し込む第１軸方向のプッシュ操作と前記ノブを筐体の表面に沿ってスライドさせる第２軸方向のスライド操作とに感応する感応部を有しているスイッチ装置において、
前記ノブの前記第１軸及び第２軸に直交する第３軸方向の一方の端部には、該第３軸方向に沿って外側へ突出する係合突部が設けられ、前記筐体の開口の内周縁には、前記係合突部を一定の遊びをもって第１軸方向に挟持する係合受け部が形成され、該係合受け部によって、前記遊びの範囲内で係合突部を中心とするノブの第２軸回りの回動が許容されると共に、前記スライド操作に伴うノブの第２軸方向の往復移動が案内され、前記スイッチは、ノブの回動によって感応部の感応に必要なストロークが得られる距離だけ前記係合突部から前記第３軸方向に離間した位置に設置されていることを特徴とするスイッチ装置。
【請求項２】
前記筐体は、少なくともノブの第３軸方向の両端部を覆うカバー部材を具え、該筐体の開口の内周縁には、前記第１軸方向の内側にて前記ノブの係合突部に対向するリブ部が形成され、該リブ部とカバー部材の背面とによって、前記係合受け部が構成されている請求項１に記載のスイッチ装置。
【請求項３】
前記カバー部材の中央部には、窓部が開設されると共に、前記ノブには、該カバー部材の窓部から外側に向けて突出する突起部が形成されている請求項２に記載のスイッチ装置。
【請求項４】
前記カバー部材の背面には、筐体の開口の内周縁に係合する複数のフック部が突設されている請求項２又は請求項３に記載のスイッチ装置。
【請求項５】
前記筐体の内部には、前記第３軸方向に直交する表面を有するプリント基板が配備され、該プリント基板の表面に前記スイッチが実装されており、前記ノブの背面には、前記プリント基板の表面に摺接する一対の突片が、互いに前記第２軸方向に離間して突設されている請求項１乃至請求項４の何れかに記載のスイッチ装置。
【発明の詳細な説明】
【技術分野】
【０００１】
本発明は、携帯型音楽プレイヤーのリモートコントローラ等に用いられるスイッチ装置に関するものである。
【背景技術】
【０００２】
従来、携帯型音楽プレイヤーにおいては、プレイヤー本体とヘッドホンとを接続するケーブルの途中位置にリモートコントローラを具えたものが知られている(特許文献１参照)。
該リモートコントローラ内には、プッシュ操作とスライド操作とが可能なスイッチが配備され、例えば、プッシュ操作によって再生／停止、スライド操作によって早送り／巻き戻しの指示が入力出来る様になっている。
【０００３】
図１０に示す如く、従来のリモートコントローラは、筐体(５)と、該筐体(５)の内部に収容されたスイッチ(51)と、該スイッチ(51)を操作するためのノブ(６)とを具えている。
筐体(５)の一側面には、開口(54)が開設されており、該開口(54)からノブ(６)の頭部が露出している。スイッチ(51)は、スイッチ本体(51b)と、該スイッチ本体(51b)から突出する感応部(51a)とを具え、該感応部(51a)をノブ(６)の背面側に向けた状態で、筐体(５)の内部に配備されたプリント基板(52)の裏面に実装されている。ノブ(６)の背面には、スイッチ(51)の感応部(51a)と前記第２軸方向の相対移動不能に係合する係合部(62)が突設されている。
【０００４】
ノブ(６)は、感応部(51a)をスイッチ本体(51b)の内部に向けて押し込むプッシュ操作と、該感応部(51a)を開口(54)が開設された筐体(５)の表面に沿ってスライドさせるスライド操作とが可能となっている。又、スイッチ(12)の感応部(51a)は、スイッチ本体(12b)に内蔵された弾性部材によって、プッシュ操作方向の突出位置、及びスライド操作方向の両側から中央位置に向けて常時付勢されている。
以下、ノブ(２)のプッシュ操作方向を第１軸方向、ノブ(２)のスライド操作方向を第２軸方向という。
【０００５】
ノブ(６)の前記第１軸及び第２軸方向に直交する第３軸方向の両端部には、該３軸方向に沿って外側へ突出する一対の係合突部(61)(61)が設けられており、筐体(５)の開口(54)の内周縁には、前記第１軸方向の外側位置にて両係合突部(61)(61)に対向するリブ(53)(53)が形成されている。
ノブ(６)は、スイッチ(51)の感応部(51a)によって各係合突部(61)が筐体(５)のリブ(53)に押し付けられた状態で、筐体(５)の開口(54)から露出しており、ノブ(６)のスライド操作時には、各係合突部(61)が筐体(５)のリブ(53)上を摺動することになる。
【特許文献１】特開２００４−９５９１９号公報
【発明の開示】
【発明が解決しようとする課題】
【０００６】
しかしながら、ノブ(６)は、スイッチ(51)の感応部(51a)の付勢力によって各係合突部(61)が筐体(５)のリブ(53)に押し付けられた状態で、筐体(５)に取り付けられているに過ぎず、力が加えられた位置や力の方向に応じて、ノブ(６)が係合部(62)を中心として前記第２軸回りに回動してしまうため、ノブ(６)の操作時にガタツキが生じる問題があった。
【０００７】
又、仮に、図１１に示す如く、スイッチ(51)の感応部(51a)との係合部(62)をノブ(６)の第３軸方向の一方の端部に設けた場合には、該係合部(62)を中心とする前記第２軸回りのノブ(６)の回動半径が大きくなるため、ノブ(６)の操作によって、ノブ(６)の第３軸方向の他方の端部が筐体(５)の内部に大きく倒れ込むこととなり、ノブ(６)が筐体(５)から脱落してしまう虞がある。
このため、図１０に示す如く、スイッチ(51)の感応部(51a)との係合部(62)を第１軸方向に沿うノブ(６)の中心軸上に設けなければならないという設計上の制約があった。従って、ノブ(６)の設置位置はスイッチ(51)の位置によって決まってしまい、レイアウト上の自由度が低い問題があった。
【０００８】
そこで、本発明の目的は、ノブの操作時のガタツキを最小限に抑えることが出来、然も、ノブの設置位置に関する設計上の制約を緩和することが可能なスイッチ装置を提供することである。
【課題を解決するための手段】
【０００９】
本発明のスイッチ装置は、開口を有する筐体の内部に、前記開口から表面を露出させてノブを配備すると共に、該ノブの背面側にスイッチを配備して構成され、該スイッチは、前記ノブを筐体の内部に向けて押し込む第１軸方向のプッシュ操作と前記ノブを筐体の表面に沿ってスライドさせる第２軸方向のスライド操作とに感応する感応部を有している。
前記ノブの前記第１軸及び第２軸に直交する第３軸方向の一方の端部には、該第３軸方向に沿って外側へ突出する係合突部が設けられ、前記筐体の開口の内周縁には、前記係合突部を一定の遊びをもって第１軸方向に挟持する係合受け部が形成され、該係合受け部によって、前記遊びの範囲内で係合突部を中心とするノブの第２軸回りの回動が許容されると共に、前記スライド操作に伴うノブの第２軸方向の往復移動が案内され、前記スイッチは、ノブの回動によって感応部の感応に必要なストロークが得られる距離だけ前記係合突部から前記第３軸方向に離間した位置に設置されている。
【００１０】
上記本発明に係るスイッチ装置において、ノブの第３軸方向の両端部の内、一方の端部に突設された係合突部は、係合受け部によって一定の遊びを持って第１軸方向に挟持されている。これにより、ノブのスライド操作時には、係合突部が係合受け部に案内されてノブのスムーズなスライドが可能であると共に、ノブのプッシュ操作時には、該係合突部を中心とするノブの第２軸回りの回動が前記遊びの範囲内に規制されるので、従来のスイッチ装置に比べ、ノブの操作時のガタツキを抑えることが出来る。
【００１１】
ところで、前記遊びを小さく設定した場合、ノブの操作時のガタツキは抑制可能であるが、前記第２軸回りのノブの回動可能角度が狭くなるためプッシュ操作が困難となる。一方、前記遊びを大きく設定した場合には、ノブの回動可能角度は拡がるものの、ノブの操作時のガタツキが大きくなってしまう。そこで、前記遊びは、ノブの操作時のガタツキと前記第２軸回りのノブの回動可能角度とのバランスを考慮して決定される。
【００１２】
ノブの回動可能角度を用いて、スイッチの感応部の感応に必要なストロークが得られるノブの回動半径を求めることが出来、スイッチは、前記係合突部から前記第３軸方向に該回動半径に相当する距離以上に離間した任意の位置に設置することが出来る。
従って、本発明のスイッチ装置によれば、第１軸方向に沿うノブの中心軸上にスイッチの感応部を設置しなければならなかった従来のスイッチ装置に比べて、スイッチとノブの相対位置に関する設計上の制約が緩和される。
【００１３】
具体的構成において、前記筐体は、少なくともノブの第３軸方向の両端部を覆うカバー部材を具え、該筐体の開口の内周縁には、前記第１軸方向の内側にて前記ノブの係合突部に対向するリブ部が形成され、該リブ部とカバー部材の背面とによって、前記係合受け部が構成されている。
該具体的構成によれば、ノブの係合突部は、カバー部材の背面と筐体のリブ部との間に、一定の遊びを持って第１軸方向に挟持されることになる。
【００１４】
又、具体的構成において、前記カバー部材の中央部には、窓部が開設されると共に、前記ノブには、該カバー部材の窓部から外側に向けて突出する突起部が形成されている。
該具体的構成によれば、ノブのスライド操作は、前記窓部の範囲内で許容されることになる。
【００１５】
更に具体的構成において、前記カバー部材の背面には、筐体の開口の内周縁に係合する複数のフック部が突設されている。
該具体的構成において、ノブの係合突部は、筐体の開口を通してノブをスイッチに取り付けた後、筐体にカバー部材を取り付けることによって、筐体のリブ部とカバー部材の背面との間に挟持されることになる。従って、スイッチ装置の組み立て作業は容易なものとなる。
【００１６】
更に又、具体的構成において、前記筐体の内部には、前記第３軸方向に直交する表面を有するプリント基板が配備され、該プリント基板の表面に前記スイッチが実装されており、前記ノブの背面には、前記プリント基板の表面に摺接する一対の突片が、互いに前記第１軸方向に離間して突設されている。
【００１７】
該具体的構成において、一対の突片は、ノブのスライド操作時にプリント基板の表面上を摺動することとなり、ガイド機能を発揮する。この結果、スライド操作時のノブのガタツキが抑制される。
【発明の効果】
【００１８】
本発明のスイッチ装置によれば、ノブの操作時のガタツキを最小限に抑えることが出来る。又、従来のスイッチ装置に比べて、スイッチとノブの相対位置に関する設計上の制約が緩和される。
【発明を実施するための最良の形態】
【００１９】
以下、本発明を携帯型音楽プレイヤーのリモートコントローラに実施した形態につき、図面に沿って具体的に説明する。
図１及び図２に示す如く、本発明に係るリモートコントローラは、直方体状の筐体(１)を具え、該筐体(１)の一側面には、略楕円状の開口(14)が開設されている。又、筐体(１)は、該開口(14)の一部を覆うカバー部材(３)を具えている。
カバー部材(３)の中央部には、略楕円状の窓部(31)が開設されており、該窓部(31)から、ノブ(２)の突起部(21)が露出している。
【００２０】
ノブ(２)は、突起部(21)を筐体(１)の内部に向けて押し込むプッシュ操作と、該突起部(21)を開口(13)が開設された筐体(１)の表面に沿ってスライドさせるスライド操作とが可能となっており、プッシュ操作によって携帯型音楽プレイヤーに対する再生及び停止の指示、スライド操作によって携帯型音楽プレイヤーに対する早送り及び巻き戻しの指示が可能となっている。
以下、ノブ(２)のプッシュ操作方向を第１軸方向、ノブ(２)のスライド操作方向を第２軸方向という。
【００２１】
図３に示す如く、筐体(１)の内部には、前記第１軸及び第２軸とは直交する第３軸方向に表面を有するプリント基板(11)が配備され、該プリント基板(11)の裏面にスイッチ(12)が実装されている。スイッチ(12)の感応部(12a)は、筐体(１)の開口(14)に向けて突出し、図２に示すノブ(２)の背面に係合している。
感応部(12a)は、スイッチ本体(12b)に対して、前記第１軸方向のプッシュ操作と前記第２軸方向のスライド操作とが可能となっており、スイッチ本体(12b)に内蔵された弾性部材によって、第１軸方向においては突出方向に向けて、第２軸方向においてはスライド方向の両側から中央位置に向けて常時付勢されている。
【００２２】
図９に示す如く、カバー部材(３)の背面には、前記第２軸方向の両端部に一対のフック部(32)(32)が突設され、カバー部材(３)は、図６及び図７に示す如く、両フック部(32)(32)が開口(14)の前記第２軸方向の両側の内周縁に係脱可能に係合し、筐体(１)に取り付けられている。
又、図９に示す如く、カバー部材(３)の背面には、前記第３軸方向の両端部に一対の凸部(33)(33)が第２軸方向に沿って形成されており、図５に示す如く、スイッチ(12)の感応部(12a)に付勢されたノブ(２)の第３軸方向の両端部が、両凸部(33)(33)に押し付けられている。
【００２３】
図７及び図８に示す如く、ノブ(２)の前記第３軸方向の一方の端部の背面には、前記スイッチ(12)の感応部(12a)と前記第２軸方向の相対移動不能に係合する係合部(23)が突設されている。
又、ノブ(２)の背面には、前記第２軸方向の両端部に一対の突片(24)(24)が突設され、図５に示す如く、各突片(24)の下面がプリント基板(11)の表面に摺接している。
図４及び図５に示す如く、ノブ(２)の前記第３軸方向の他方の端部には、該第３軸方向に沿って外側へ突出する係合突部(22)が設けられ、筐体(１)の開口(14)の内周縁には、カバー部材(３)の背面との間で、該係合突部(22)を一定の遊び(29)(29)を持って第１軸方向に挟持するリブ部(15)が、図６及び図７に示す如く第２軸方向に沿って形成されている。従って、ノブ(２)は、前記第３軸方向の一端がカバー部材(３)の背面とスイッチ(12)の感応部(12)とによって挟持されると共に、他端がカバー部材(３)の背面と筐体(１)のリブ部(15)とによって挟持されることになる。
【００２４】
ノブ(２)の突起部(21)に第１軸方向の力が加えられると、図５に示すノブ(２)の係合突部(22)が筐体(１)のリブ部(15)に当接することによって、ノブ(２)の第１軸方向の移動が規制され、ノブ(２)は、前記一定の遊び(29)(29)の範囲内で、係合突部(22)を中心として前記第２軸回りに回動する。ノブ(２)の回動により、係合突部(22)とは反対側の端部に突設された係合部(23)がスイッチ(12)の感応部(12a)を第１軸方向に押圧し、これに伴って、該感応部(12a)がスイッチ本体(12b)内の一定位置まで押し入れられると、スイッチ(12)がプッシュ操作に感応することになる。
【００２５】
一方、ノブ(２)の突起部(21)に第２軸方向の力が加えられると、ノブ(２)は、図１に示す如く、カバー部材(３)の窓部(31)の範囲内で前記第２軸方向にスライドする。図５に示すスイッチ(12)の感応部(12a)は、ノブ(２)と第２軸方向の相対移動不能に係合しているので、ノブ(２)と共にスライドすることになる。
ノブ(２)のスライド移動の過程で、ノブ(２)の係合突部(22)が、カバー部材(３)とリブ部(15)の間で前記第２軸方向に案内されると共に、各突片(24)がプリント基板(11)の表面上を摺動する。これにより、ノブ(２)のスムーズなスライド操作が可能となる。
【００２６】
従って、上記本発明に係るリモートコントローラによれば、ノブ(２)の係合突部(22)がカバー部材(３)とリブ部(15)の間で案内され、スムーズなノブ(２)のスライド操作が可能となると共に、該係合突部(22)を中心とするノブ(２)の第２軸回りの回動が前記遊び(29)(29)の範囲内に規制されるので、従来のスイッチ装置に比べ、操作時のノブ(２)のガタツキが抑制される。
【００２７】
ところで、前記遊び(29)(29)を小さく設定した場合、ノブ(２)の操作時のガタツキは抑制可能であるが、前記第２軸回りのノブ(２)の回動可能角度が狭くなるためプッシュ操作が困難となる。一方、前記遊び(29)(29)を大きく設定した場合には、ノブ(２)の回動可能角度は拡がるものの、ノブ(２)の操作時のガタツキが大きくなってしまう。そこで、前記遊び(29)(29)は、ノブ(２)の操作時のガタツキと前記第２軸回りのノブ(２)の回動可能角度とのバランスを考慮して決定される。
【００２８】
ノブ(２)の回動可能角度を用いて、スイッチ(12)の感応部(12a)の感応に必要なストロークが得られるノブ(２)の回動半径を求めることが出来、スイッチ(12)は、前記係合突部(22)から前記第３軸方向に該回動半径に相当する距離以上に離間した任意の位置に設置することが出来る。
従って、本発明のリモートコントローラによれば、図１０に示す如く、第１軸方向に沿うノブ(６)の中心軸上にスイッチ(51)の感応部(51a)を設置しなければならなかった従来のリモートコントローラに比べて、スイッチ(12)とノブ(２)の相対位置に関する設計上の制約が緩和される。
【図面の簡単な説明】
【００２９】
【図１】本発明に係るリモートコントローラの要部を示す斜視図である。
【図２】該リモートコントローラからカバー部材を取り外した状態を示す斜視図である。
【図３】該リモートコントローラからカバー部材及びノブを取り外した状態を示す斜視図である。
【図４】該リモートコントローラの要部を示す一部破断斜視図である。
【図５】該リモートコントローラの要部を示す断面図である。
【図６】筐体の内部側から見た該リモートコントローラの要部の斜視図である。
【図７】筐体の内部側から見た該リモートコントローラの要部をスイッチを省略して示す斜視図である。
【図８】ノブを背面側から見た斜視図である。
【図９】カバー部材を背面側から見た斜視図である。
【図１０】従来のリモートコントローラの要部を示す断面図である。
【図１１】従来のリモートコントローラの問題点を説明するための断面図である。
【符号の説明】
【００３０】
(１)  筐体
(11)  プリント基板
(12)  スイッチ
(12a)  感応部
(14)  開口
(15)  リブ部
(２)  ノブ
(21)  突起部
(22)  係合突部
(23)  係合部
(24)  突片
(29)  遊び
(３)  カバー部材
(31)  窓部
(32)  フック部
【図１】
2006344405.tif 000003
【図２】
2006344405.tif 000004
【図３】
2006344405.tif 000005
【図４】
2006344405.tif 000006
【図５】
2006344405.tif 000007
【図６】
2006344405.tif 000008
【図７】
2006344405.tif 000009
【図８】
2006344405.tif 000010
【図９】
2006344405.tif 000011
【図１０】
2006344405.tif 000012
【図１１】
2006344405.tif 000013